(57)【要約】【課題】仕切板によって仕切られた空間への送風と収納空間内の空気を効果的に循環させる送風とを可能としながらも装置構成の簡略化を図り得る収納構造を提供する。【解決手段】前方に開口する収納空間２内を送風する送風装置１を設け、該収納空間の前方開口を開閉する戸体９を設けた収納構造であって、前記収納空間を区画する仕切板７を、その前端と閉鎖状態の前記戸体の背面との間に空気流通空間３を形成するように設け、前記送風装置の吸込口１２及び吹出口１３を、前記収納空間の奥行方向に直交する方向に向けて開口するように設けた構造とされ、かつ、前記送風装置を、前記吸込口及び前記吹出口を前記収納空間の奥行方向における前記仕切板の前端と閉鎖状態の前記戸体の背面との間において開口させる位置と、前記吸込口及び前記吹出口を前記仕切板によって仕切られた空間において開口させる位置と、に奥行方向に移動自在に配置した構造とされている。【選択図】図１
2015130942.tif 000002
【特許請求の範囲】
【請求項１】
前方に開口する収納空間内を送風する送風装置を設け、該収納空間の前方開口を開閉する戸体を設けた収納構造であって、
前記収納空間を区画する仕切板を、その前端と閉鎖状態の前記戸体の背面との間に空気流通空間を形成するように設け、前記送風装置の吸込口及び吹出口を、前記収納空間の奥行方向に直交する方向に向けて開口するように設けた構造とされ、かつ、
前記送風装置を、前記吸込口及び前記吹出口を前記収納空間の奥行方向における前記仕切板の前端と閉鎖状態の前記戸体の背面との間において開口させる位置と、前記吸込口及び前記吹出口を前記仕切板によって仕切られた空間において開口させる位置と、に奥行方向に移動自在に配置した構造とされていることを特徴とする収納構造。
【請求項２】
請求項１において、
前記送風装置は、長尺状とされ、長手方向両端側に前記吸込口及び前記吹出口を設けた構造とされていることを特徴とする収納構造。
【請求項３】
請求項２において、
前記送風装置は、前記収納空間の内面に沿って取り付けられた長尺筒状とされていることを特徴とする収納構造。
【請求項４】
請求項２または３において、
前記送風装置を、長手方向を上下方向に沿わせて設けていることを特徴とする収納構造。
【発明の詳細な説明】
【技術分野】
【０００１】
本発明は、収納空間内を送風する送風装置を設けた収納構造に関する。
【背景技術】
【０００２】
従来より、収納空間内を除菌や脱臭する装置を設けた収納構造が知られている。
例えば、下記特許文献１では、対向する側壁間に複数段の棚を設け、各段のそれぞれに収納空間の幅方向にイオン風を形成するようにイオン発生器及び送風機を設けた下駄箱が提案されている。また、この下駄箱は、一方の内側面の手前側にイオン発生器及び送風機を設け、他方の内側面の奥側にイオン発生器及び送風機を設けた構成とされている。
【先行技術文献】
【特許文献】
【０００３】
【特許文献１】特開２０１１−２００５９０号公報
【発明の概要】
【発明が解決しようとする課題】
【０００４】
しかしながら、上記特許文献１に記載された下駄箱では、手前側にイオン風を送風するイオン発生器及び送風機と奥側にイオン風を送風するイオン発生器及び送風機とを設ける必要があり、更なる改善が望まれる。
【０００５】
本発明は、上記実情に鑑みてなされたものであり、仕切板によって仕切られた空間への送風と収納空間内の空気を効果的に循環させる送風とを可能としながらも装置構成の簡略化を図り得る収納構造を提供することを目的としている。
【課題を解決するための手段】
【０００６】
上記目的を達成するために、本発明に係る収納構造は、前方に開口する収納空間内を送風する送風装置を設け、該収納空間の前方開口を開閉する戸体を設けた収納構造であって、前記収納空間を区画する仕切板を、その前端と閉鎖状態の前記戸体の背面との間に空気流通空間を形成するように設け、前記送風装置の吸込口及び吹出口を、前記収納空間の奥行方向に直交する方向に向けて開口するように設けた構造とされ、かつ、前記送風装置を、前記吸込口及び前記吹出口を前記収納空間の奥行方向における前記仕切板の前端と閉鎖状態の前記戸体の背面との間において開口させる位置と、前記吸込口及び前記吹出口を前記仕切板によって仕切られた空間において開口させる位置と、に奥行方向に移動自在に配置した構造とされていることを特徴とする。
【０００７】
本発明においては、前記送風装置を、長尺状とし、長手方向両端側に前記吸込口及び前記吹出口を設けた構造としてもよい。
また、本発明においては、前記送風装置を、前記収納空間の内面に沿って取り付けられた長尺筒状としてもよい。
また、本発明においては、前記送風装置を、長手方向を上下方向に沿わせて設けてもよい。
【発明の効果】
【０００８】
本発明に係る収納構造は、上述のような構成としたことで、仕切板によって仕切られた空間への送風と収納空間内の空気を効果的に循環させる送風とを可能としながらも装置構成の簡略化を図ることができる。
【図面の簡単な説明】
【０００９】
【図１】（ａ）、（ｂ）は、いずれも本発明の一実施形態に係る収納構造の一例を模式的に示し、図３におけるＸ１−Ｘ１線矢視に対応させた一部破断概略縦断面図である。
【図２】図１（ａ）におけるＸ２−Ｘ２線矢視に対応させた一部破断概略縦断面図である。
【図３】同収納構造の一例を模式的に示す一部省略概略斜視図である。
【発明を実施するための形態】
【００１０】
以下に本発明の実施の形態について、図面に基づいて説明する。
図１〜図３は、本実施形態に係る収納構造の一例を模式的に示す図である。
なお、図２では、本実施形態に係る収納構造に組み込まれた送風装置に設けられた各機器やフィルター等を破断せずに図示し、図３では、戸体等の図示を省略している。
また、以下の実施形態では、該収納構造の収納空間に対面した状態を基準として、手前側を前方、その逆側を後方とし、また、その状態を基準として、上下方向及び左右方向等の方向を説明する。
【００１１】
本実施形態に係る収納構造は、図１及び図３に示すように、前方に開口する収納空間２内を送風する送風装置１を設け、収納空間２の前方開口を開閉する戸体９を設けた構造とされている。また、収納空間２を区画する仕切板７を、その前端と閉鎖状態の戸体９の背面との間に空気流通空間を形成するように設け、送風装置１の吸込口１２及び吹出口１３を、収納空間２の奥行方向に直交する方向に向けて開口するように設けた構造とされている。
【００１２】
収納空間２は、図１及び図３に示すように、収納空間２の内面を構成する天面４、底面４Ａ、左右の内側面４Ｂ，４Ｂ及び奥側面５によって区画されている。これら天面４、底面４Ａ、左右の内側面４Ｂ，４Ｂ及び奥側面５は、住居等の建物内の天井面や床面（玄関土間）、壁面等によって構成されたものとしてもよい。つまり、収納構造を、建物内に設けられた収納室（クローゼット）に適用するようにしてもよい。または、これら天面４、底面４Ａ、左右の内側面４Ｂ，４Ｂ及び奥側面５のうちのいずれかを、板材によって構成する態様としてもよい。例えば、天面４、底面４Ａ及び奥側面５を、それぞれ天井面、床面（玄関土間）及び壁面とし、左右の内側面４Ｂ，４Ｂの両方または一方を、縦仕切板（側板）等によって構成する態様等としてもよい。さらには、このような態様に代えて、天板、底板（地板）、左右の側板及び背板を備えた略箱形状とされた収納箱体の内面を、収納空間２を区画する天面４、底面４Ａ、左右の内側面４Ｂ，４Ｂ及び奥側面５として把握するようにしてもよい。
【００１３】
戸体９は、本実施形態では、蝶番等の回動連結部材によって回動自在に支持された開き戸９とされている。また、図３に示すように、収納空間２の収納間口寸法（左右寸法）が比較的に大きい場合には、例えば、互いに同様の構成とされた二枚の開き戸９，９によって収納空間２の前方開口を開閉する両開き（観音開き）としてもよい。また、これら開き戸９，９のそれぞれの一側端部を、左右の内側面４Ｂ，４Ｂの前方側部位に、回動連結部材を介して回動自在に連結した構成としてもよい。また、これら開き戸９，９を、閉鎖状態で互いの他側端部同士が近接または当接する構成としてもよい。
なお、これら開き戸９，９のうちの一方の開き戸９の他側端部に、他方の開き戸９の他側端部の戸当りとなる戸当り部を設けるようにしてもよい。また、収納空間２の天面４や底面４Ａ等に、これら開き戸９，９の他側端部が当接する戸当り部を設けるようにしてもよい。
【００１４】
また、収納空間２の前方開口を開閉する開き戸９，９としては、両開きに限られず、一枚の開き戸９によって開閉する片開きとしてもよい。さらには、収納空間２の前方開口を開閉する戸体としては、このような回動連結部材を介して回動自在とされた開き戸９に限られない。例えば、戸体９を、引き違い状にスライド自在とされた複数枚の引戸としたり、複数枚の戸板を折り畳み展開自在に連結した折戸としたりしてもよい。なお、戸体９を、引戸とした場合には、後記する戸体９の閉鎖状態の背面は、開放状態の背面と収納空間２の奥行方向において同一平面状となり、また、引き違い状に複数の戸体９を設けた場合には、奥側の戸体９の背面として把握するようにしてもよい。また、上記のように、収納構造を、建物内に設けられた収納室（クローゼット）に適用した場合には、戸体９が建て付けられる戸枠等を適宜、設けるようにしてもよい。
【００１５】
仕切板７は、図１に示すように、奥行寸法が収納空間２の奥行寸法（閉鎖状態の開き戸９の背面から奥側面５までの奥行方向に沿う寸法）よりも小さい寸法とされている。本実施形態では、仕切板７の後端面を奥側面に当接させ、収納空間２の奥行方向における仕切板７の前端と閉鎖状態の開き戸９の背面との間の空気流通空間を含む前方開口側の領域（前方開口側領域）３を、収納空間２の前方側の全体に亘って設けた構成としている。
この仕切板７によって収納空間２の奥側領域に複数に仕切られた空間が形成される。
【００１６】
また、この仕切板７の前端から閉鎖状態の開き戸９の背面までの前後方向に沿う寸法は、後記する手前側位置とされた送風装置１による気流が収納空間２の前方開口側領域３をスムーズに循環するように、また、送風装置１の設置態様等に応じて適宜、設定するようにしてもよい。この仕切板７の前端から閉鎖状態の開き戸９の背面までの前後方向に沿う寸法（収納空間２の前方開口側領域３の前後寸法）が小さ過ぎれば、手前側位置とされた送風装置１による気流が収納空間２の前方開口側領域３をスムーズに循環し難くなる傾向がある。一方、この収納空間２の前方開口側領域３の前後寸法が大き過ぎれば、収納空間２内における収納効率が低下する傾向がある。
上記のような種々の観点等から、例えば、この収納空間２の前方開口側領域３の前後寸法を、３０ｍｍ〜３００ｍｍ程度としてもよい。また、図例では、この前方開口側領域３の前後寸法よりも、仕切板７によって仕切られた収納空間２の奥側領域の前後寸法を大きい寸法としている。
【００１７】
また、本実施形態では、図１及び図３に示すように、仕切板７を、収納空間２を上下に区画するように、厚さ方向を上下方向に沿わせた棚板（横仕切板）７とし、複数枚の棚板７を設けた構成としている。つまり、収納空間２の前方開口側領域３を除く奥側領域に、棚板７によって上下に複数に仕切られた空間を形成した構成としている。
また、本実施形態では、収納空間２の左右を区画する左右の内側面４Ｂ，４Ｂとの間に所定の隙間を形成するように、棚板７を設けた構成としている。つまり、各内側面４Ｂ，４Ｂとこれらに対向する棚板７の側端面との間に所定の隙間が形成されるように棚板７を配し、収納空間２の左右両側のそれぞれの全体に亘って、所定の隙間領域を設けた構成としている。
【００１８】
また、本実施形態では、収納空間２の左右両側空間のそれぞれに、複数枚の棚板７を上下に間隔を空けて設けている。また、収納空間２の左右両側空間のそれぞれを、複数枚の棚板７によって比較的に上下に細かく区画された小分けスペースとした例を示している。図例では、収納空間２の左右両側空間の左右寸法を互いに同寸法とした例を示しているが、互いに異なる寸法としてもよい。また、図例では、左右両側空間の略同高さ位置に複数枚の棚板７を設けた例を示しているが、左右の各空間において異なる高さ位置となるように棚板７を設けるようにしてもよい。また、図例では、左右両側空間のそれぞれに、９枚の棚板７を設けた例を示しているが、適宜の枚数の棚板７を左右両側空間のそれぞれに設けるようにしてもよい。
【００１９】
また、本実施形態では、各棚板７の左右方向両端部を、収納空間２の内側面４Ｂ，４Ｂや縦仕切板等によって支持させた態様とせずに、上下に長尺とされた柱状（棒状）部材６，６にブラケット等の支持具を介して支持させた態様としている。このような構成とすれば、収納空間２を、左右方向（収納間口方向）に複数に区分することを可能としながらも、例えば、縦仕切板によって支持させたものと比べて、各棚板７によって上下に区画された各収納スペースに、送風装置１による気流を行き渡らせ易くすることができる。
【００２０】
図例では、３本の柱状部材６，６，６を、それぞれ収納空間２の奥側面５に沿わせて設けた例を示している。なお、このように、棚板７の後端側を左右の柱状部材６，６によって支持させた態様に限られず、棚板７の前後方向途中部位や複数個所を、左右の柱状部材６，６によって支持させた態様としてもよい。
また、複数枚の棚板７のうちの少なくとも一枚（または全て）を、例えば、厚さ方向（上下方向）に貫通する多数の孔を設けた多孔状とされたものとしてもよい。
また、各棚板７は、上下の配設位置の変更が可能とされたものとしてもよい。
【００２１】
また、収納空間２を区画する態様としては、上記のような態様に限られず、種々の区画態様の採用が可能である。例えば、左右両側空間の両方または一方に、比較的に上下に長尺なブーツや傘等の長尺物品を収納するスペースを設けたり、衣類等を収納するスペースを設けたりしてもよい。つまり、本実施形態に係る収納構造を、コートや上着等の衣類や、靴等の履物や小物、ブーツ等の長尺物品等の収納を可能とし、玄関土間や玄関フロアー等に好適に設けられる玄関収納構造としてもよい。この場合は、適宜、衣類や長尺物品等を吊下げる吊下部材を設けるようにしてもよい。
また、本実施形態では、収納空間２を左右方向に複数に区分するように、左右方向に複数の棚板７を設けた例を示しているが、このような態様に代えて、左右方向に単一の棚板７を設けた構造としてもよい。
【００２２】
また、本実施形態に係る収納構造は、図１に示すように、送風装置１を、吸込口１２及び吹出口１３を前方開口側領域３において開口させる位置と、吸込口１２及び吹出口１３を棚板（仕切板）７によって仕切られた空間において開口させる位置と、に奥行方向に移動自在に配置した構造とされている。つまり、送風装置１を、図１（ａ）に示す手前側位置と、図１（ｂ）に示す奥側位置とに移動自在に配置した構造としている。
本実施形態では、送風装置１を、長尺状とし、長手方向両端側に吸込口１２及び吹出口１３を設けた構造としている。
【００２３】
また、本実施形態では、送風装置１を、収納空間２の内面としての内側面４Ｂに沿って取り付けられた長尺筒状としている。また、送風装置１を、長手方向を上下方向に沿わせて設けた構造としている。つまり、本実施形態では、図１及び図３に示すように、長尺筒状とされた送風装置１を、長手方向を上下方向に沿わせて収納空間２の左右を区画する一方の内側面４Ｂに沿って設けた構造としている。また、収納空間２の奥行方向に直交する方向となる他方の内側面４Ｂに向けて送風装置１の吸込口１２及び吹出口１３を開口させた構造としている。これら吸込口１２及び吹出口１３は、互いに上下に離間して設けられ、一方が収納空間２の上下方向一方側において開口するように、他方が収納空間２の上下方向他方側において開口するように設けられている。これら吸込口１２及び吹出口１３は、収納空間２の天面４及び底面４Ａのそれぞれから上下方向における四半程度の領域内において開口するように設けるようにしてもよい。
【００２４】
また、本実施形態では、送風装置１を、長手方向両端が開口された筒状ダクト１０とその両端の開口を覆う蓋部１６，１６とを備えた構成としている。
また、筒状ダクト１０を四角筒状とし、その他方の内側面４Ｂ側に向く一側面部１１の両端側に吸込口１２及び吹出口１３を設けた構成としている。この筒状ダクト１０は、押出成形されたものとしてもよい。この筒状ダクト１０の内部空間が吸込口１２と吹出口１３とを連通させる送風路１４を構成する。また、この送風路１４に、吸込口１２から吸い込んだ空気を吹出口１３に向けて送風する送風器１８が設けられている。
また、本実施形態では、送風装置１を、吹出口１３が上端側となり、吸込口１２が下端側となるように設けている。
これら吸込口１２及び吹出口１３としては、図１に示すように、筒状ダクト１０の一側面部１１の幅方向（収納奥行方向に沿う方向）に細長い複数の桟状部を一側面部１１の長手方向に沿って間隔を空けて設けたガラリ状の構成としてもよい。換言すれば、これら吸込口１２及び吹出口１３を、複数のスリット状開口からなるものとしてもよい。なお、このような態様に代えて、これら吸込口１２及び吹出口１３を、単一の開口からなるものとしてもよい。
【００２５】
また、本実施形態では、図２に示すように、筒状ダクト１０内にフィルター部１７を設けている。このフィルター部１７は、吸込口１２の下流側で、かつ送風器１８の上流側に位置するように設けられている。図例では、フィルター部１７を、吸込口１２の裏面側に沿うように設けた例を示している。
また、このフィルター部１７に、脱臭フィルターを設けた構成としている。つまり、本実施形態では、送風装置１を、脱臭機能を有したものとしている。
なお、脱臭フィルターの上流側に、プレフィルターを設けるようにしてもよい。このようなプレフィルターとしては、異物を捕捉するメッシュフィルター等や、これに代えて、または加えて、塵埃等の捕捉性を有した不織布等からなるシート状やプリーツ状の集塵フィルター等を採用するようにしてもよい。
【００２６】
また、本実施形態では、図２に示すように、送風器１８を、その吹出部の吹出方向が吸込口１２と吹出口１３との並設方向（図例では上下方向）に沿う方向となるように送風路１４内に設けている。図例では、送風器１８を、送風路１４を空気流通方向（上下方向）に区分するように筒状ダクト１０内における吹出口１３の吸込口１２側に隣接させて設けた例を示している。
このような送風器１８としては、軸方向を筒状ダクト１０の長手方向（上下方向）に沿わせた軸流ファンとしてもよく、または、シロッコファンやクロスフローファン等としてもよく、この場合には、適宜、配設位置等を変形するようにしてもよい。
【００２７】
また、図例では、単一の送風器１８を配設した例を示しているが、複数の送風器１８を配設するようにしてもよい。例えば、吸込口１２側にも送風器を設けたような態様としてもよい。
また、図例では、この送風器１８の吹出側（下流側）に、送風器１８の吹出部と筒状ダクト１０の吹出口１３とを連通させ、送風器１８から吹出された気流を吹出口１３側に向けて変更するようにガイドするガイド壁部を設けた例を示している。なお、吸込口１２側にも吸込口１２から吸い込んだ気流を吹出口１３側に向けて変更するようにガイドするガイド壁部を設けるようにしてもよい。
【００２８】
また、本実施形態では、図２に示すように、送風装置１に、除菌・消臭作用を有するイオンを放出するイオン発生部１９を設けている。つまり、本実施形態では、送風装置１を、除菌・消臭機能を有したものとしている。このイオン発生部１９は、そのイオン吹出部を送風器１８の吹出側（下流側）で、かつ吹出口１３の上流側において開口させるように設けられている。図例では、イオン発生部１９を、そのイオン吹出部を送風器１８の吹出部と概ね対向させ、かつガイド壁部において開口させるように設けた例を示している。
このようなイオン発生部１９としては、除菌・消臭作用を有する、ナノメートルサイズ（例えば、５ｎｍ〜２０ｎｍ程度）の粒子径のものを含む帯電した微粒子液滴で、空気中にミスト状態で浮遊可能な帯電微粒子水を放出する静電霧化装置１９としてもよい。なお、イオン発生部１９としては、このような静電霧化装置に限られず、除菌・消臭作用を有するイオンを放出するイオン発生器や、マイナスイオンを放出するマイナスイオン発生器等を採用するようにしてもよい。
【００２９】
また、本実施形態に係る収納構造は、上記した送風装置１を奥行方向に移動自在に保持する保持部８，１５を設けた構造とされている。保持部８，１５は、吸込口１２及び吹出口１３を前方開口側領域３において開口させる手前側位置と、吸込口１２及び吹出口１３を棚板（仕切板）７によって仕切られた奥側領域において開口させる奥側位置と、に送風装置１を移動自在に保持する構成とされている。
本実施形態では、図１（ａ）に示すように、手前側位置において、送風装置１の全体が前方開口側領域３に位置する構成としている。つまり、送風装置１の収納奥行方向に沿う寸法を、前方開口側領域３の前後寸法よりも小さい寸法としている。なお、このような態様に限られず、手前側位置とされた送風装置１の少なくとも吸込口１２及び吹出口１３の全体が前方開口側領域３において開口する構成としてもよい。
【００３０】
また、本実施形態では、図１（ｂ）に示すように、奥側位置において、送風装置１（の吸込口１２及び吹出口１３）が棚板７によって仕切られた奥側領域における奥行方向略中央に位置する構成としている。
また、本実施形態では、奥側位置において、送風装置１の吸込口１２と吹出口１３とが棚板７によって上下に仕切られた異なる空間において開口するように送風装置１及び棚板７を設けた構造としている。図例では、奥側位置において、送風装置１の吸込口１２が最下段の棚板７とこの上段側に隣接する棚板７とによって仕切られた空間において開口するように送風装置１及びこれら棚板７，７を設けた構造としている。また、奥側位置において、送風装置１の吹出口１３が最上段の棚板７とこの下段側に隣接する棚板７とによって仕切られた空間において開口するように送風装置１及びこれら棚板７，７を設けた構造としている。なお、このような態様に限られず、棚板７の配設態様や送風装置１の構成等に応じて、奥側位置とされた送風装置１の吸込口１２及び吹出口１３が適宜の箇所において開口する構造としてもよい。
【００３１】
また、本実施形態では、上記した収納空間２の左右両側の所定の隙間領域のうちの一方の内側面４Ｂ側の隙間領域を、送風装置１の受け入れが可能な構成としている（図３参照）。つまり、一方の内側面４Ｂとこれに対向する棚板７の側端面との間に、送風装置１を受け入れ可能としている。また、上記した収納空間２の左右両側の所定の隙間領域のうちの他方の内側面４Ｂ側の隙間領域を、空気流通空間としている。このような構成とすれば、送風装置１の吸込口１２及び吹出口１３がそれぞれに開口する空間の空気を効率的に循環させることができ、これらの空間に収納された収納物の脱臭や、除菌・消臭等を効果的に行うことができる。
【００３２】
上記のように手前側位置と奥側位置とに送風装置１を移動自在に保持する保持部８，１５としては、種々の構造とされた保持部８，１５の採用が可能である。本実施形態では、収納空間２の内面側（一方の内側面４Ｂ側）に、保持レール８を設け、送風装置１側に、この保持レール８に係合保持される係合部１５を設けた構造としている。このような保持レール８としては、長手方向を収納奥行方向に沿わせて配され、上方に向けて開口する長手方向に延びるガイド溝を設けた構成とされたものとしてもよい。また、係合部１５としては、この保持レール８のガイド溝に挿入される引掛片部や、ガイド溝内を走行可能とされた転動体（ローラー）等を備えたものとしてもよい。
【００３３】
図例では、送風装置１における収納空間２の一方の内側面４Ｂに対面する部位の上下端部のそれぞれに係合部１５，１５を設けた例を示している。また、この送風装置１の係合部１５，１５に応じた高さ位置となるように、上下に離間させて収納空間２の一方の内側面４Ｂに沿わせて保持レール８，８を設けた例を示している。
また、これら保持部８，１５には、手前側位置とされた送風装置１の更なる手前側への移動を抑止するストッパー部及び奥側位置とされた送風装置１の更なる奥側への移動を抑止するストッパー部が設けられている。このようなストッパー部としては、例えば、保持レール８（ガイド溝）の長手方向両端部に設けられたストッパー片部等としてもよい。
また、これら保持部８，１５に、手前側位置とされた送風装置１の奥側への移動を抑制する抑制部及び奥側位置とされた送風装置１の手前側への移動を抑制する抑制部を設けるようにしてもよい。このような構成とすれば、手前側位置及び奥側位置とされた送風装置１の意図しない奥行方向への移動を抑制することができる。このような抑制部としては、保持レール８の長手方向両端部近傍部位に設けられたばね片部や凹部、凸部等としてもよい。
【００３４】
なお、図例では、保持レール８を一方の内側面４Ｂに沿わせて固定し、係合部１５を送風装置１における収納空間２の一方の内側面４Ｂに対面する対面部に沿わせて固定した例を示しているが、このような態様に限られない。例えば、これら保持レール８及び係合部１５のうちの一方を、埋め込み状に設けた構成としてもよい。これによれば、一方の内側面４Ｂと送風装置１との隙間を小さくすることができる。
また、手前側位置と奥側位置とに送風装置１を移動自在に保持する保持部８，１５としては、上記した例に限られない。例えば、収納奥行方向に伸縮するスライドレールを保持部８，１５として採用するようにしてもよい。
【００３５】
また、筒状ダクト１０内に、送風器１８及びイオン発生部１９に接続される電源部を設けるようにしてもよい。また、上記のように奥行方向に移動自在とされた送風装置１の各機器１８，１９に給電可能なように、フレキシブルな電源コードを設けたり、非接触型の給電手段を設けたりしてもよい。
また、これら送風器１８及びイオン発生部１９の作動状態を示す表示部等を設けるようにしてもよい。例えば、筒状ダクト１０の一側面部１１の一部に、透光窓部を設け、この透光窓部の裏面側に、作動状態に応じて点灯する発光部等を表示部として設けたような態様等としてもよい。
また、筒状ダクト１０の適所や他の部位（例えば、収納空間２の内面や他の壁面）等に、送風器１８やイオン発生部１９をＯＮ／ＯＦＦ操作する操作部を設けるようにしてもよい。また、これら送風器１８及びイオン発生部１９は、個別にＯＮ／ＯＦＦ操作が可能とされたものとしてもよく、または、同期してＯＮ／ＯＦＦされるものとしてもよい。また、当該送風装置１の吸込側の適所等に、臭いセンサーや埃センサー等の検出部を設け、該検出部の検出に基づいて送風器１８やイオン発生部１９のＯＮ／ＯＦＦ制御がなされるものとしてもよい。また、操作部にタイマー等を設け、送風器１８やイオン発生部１９をタイマー駆動可能とする態様としてもよい。
【００３６】
本実施形態に係る収納構造は、上述のような構成としたことで、仕切板（棚板）７によって仕切られた空間への送風と収納空間２内の空気を効果的に循環させる送風とを可能としながらも装置構成の簡略化を図ることができる。
つまり、送風装置１を、吸込口１２及び吹出口１３を収納空間２の奥行方向における仕切板７の前端と閉鎖状態の戸体９の背面との間において開口させる位置（手前側位置）と、吸込口１２及び吹出口１３を仕切板７によって仕切られた空間において開口させる位置（奥側位置）と、に奥行方向に移動自在に配置した構造としている。従って、手前側及び奥側のそれぞれにおいて送風する送風装置を手前側及び奥側のそれぞれに設けたようなものと比べて、仕切られた空間への送風と収納空間２内の空気を効果的に循環させる送風とを可能としながらも装置構成の簡略化を図ることができる。
【００３７】
つまり、送風装置１を手前側位置とすれば、吹出口１３から収納空間２の空気流通空間を含む前方開口側領域３に吹出された空気が前方開口側領域３において吸込口１２から吸い込まれることとなる。これにより、吹出口１３から吹出された気流及び吸込口１２に向かう気流が仕切板７や収納物等によって遮られ難くなり、収納空間２の前方開口側領域３を効果的に循環させることができる。一方、送風装置１を奥側位置とすれば、吹出口１３から仕切板７によって仕切られた空間に吹出され、また、仕切板７によって仕切られた空間において吸込口１２から吸い込まれることとなる。これにより、本実施形態のように、送風装置１を、脱臭機能や除菌機能を有したものとすれば、仕切板７によって仕切られた空間の収納物等を効果的に脱臭したり、除菌したりすることができる。
【００３８】
また、本実施形態では、送風装置１を、長尺状とし、長手方向両端側に吸込口１２及び吹出口１３を設けた構造としている。従って、送風装置１を手前側位置とすれば、収納空間２の前方開口側領域３をより効果的に大きく撹拌させるように循環させることができる。また、送風装置１を奥側位置とすれば、送風装置１や仕切板７の配設態様によっては、上記のように仕切板７によって仕切られた一空間において吹出し、他の空間において吸込むようなことができる。または、奥側位置において、送風装置１の吸込口１２と吹出口１３とが仕切板７によって仕切られた単一の空間において開口するように送風装置１及び仕切板７を設けた構造としてもよい。この場合には、送風装置１を奥側位置とすれば、仕切板７によって他の空間から仕切られた単一の空間内の空気を効果的に循環させたりするようなこともできる。
【００３９】
また、本実施形態では、送風装置１を、長手方向を上下方向に沿わせて設けている。従って、送風装置１を手前側位置とすれば、収納空間２の前方開口側領域３の空気を上下に撹拌させるように効果的に循環させることができる。また、送風装置１を奥側位置とすれば、送風装置１や仕切板７の配設態様によっては、上記のように棚板７によって上下に仕切られた一空間において吹出し、他の空間において吸込むようなことができる。または、仕切板を縦仕切板７とし、この縦仕切板７によって他の空間から仕切られた単一の空間内の空気を上下に撹拌させるように効果的に循環させたりするようなこともできる。
【００４０】
また、本実施形態では、送風装置１を、収納空間２の内面（内側面）４Ｂに沿って取り付けられた長尺筒状としている。従って、例えば、埋め込み状に送風装置１を設けた構造と比べて構造の簡略化を図ることができ、また、送風装置１のメンテナンス性等を向上させることができる。
なお、このような態様に代えて、送風装置１を埋め込み状に設けるようにしてもよい。この場合は、収納空間２の一方の内側面４Ｂ側の所定の隙間領域を設けないようにしてもよい。
また、本実施形態では、収納空間２の他方の内側面４Ｂ側に空気の流通を可能とする所定の隙間領域を設けた構造とした例を示しているが、この領域を設けないようにしてもよい。
【００４１】
また、本実施形態では、送風装置１を、吹出口１３を上端側、吸込口１２を下端側となるように設けた例を示しているが、これら吹出口１３及び吸込口１２を逆側となるように設けるようにしてもよい。
また、本実施形態では、収納空間２内を送風する単一の送風装置１を設けた構造とした例を示しているが、収納空間２内を送風する複数の送風装置１を設けた構造としてもよい。例えば、一方の内側面４Ｂに沿うように上下に複数の送風装置１を設けた構造等としてもよい。
また、送風装置１の設置態様としては、上記した態様に限られず、例えば、収納空間２の内面としての天面４や底面４Ａに沿わせて設置した態様等としてもよい。つまり、送風装置１を、長手方向を左右方向に沿わせて設けた態様等としてもよい。この場合において、底面４Ａに沿わせて送風装置１を設けた場合には、最下段の空間（底面４Ａ側の空間）を、衣類やブーツ等を吊下げる吊下部材を設けた空間としてもよい。
また、収納空間２を区画する仕切板としては、上記した棚板（横仕切板）７に代えて、または、加えて、収納空間２を左右に区画する厚さ方向を左右方向に沿わせた縦仕切板等としてもよい。
【００４２】
また、本実施形態では、脱臭性を有した脱臭フィルターを設けたフィルター部１７と、除菌・消臭作用を有するイオンを放出するイオン発生部１９と、を送風装置１に脱臭機能部材として設けた例を示しているが、このような態様に限られない。例えば、これらフィルター部１７及びイオン発生部１９のうちのいずれか一方のみを設けるようにしてもよい。また、このように、送風装置１に脱臭機能部材を設け、送風装置１を脱臭装置１とした態様に限られない。例えば、送風装置１にヒーター等の温風機能部材を設け、送風装置１を乾燥装置１としたり、送風装置１に除湿器や除湿材などの除湿機能部材を設け、送風装置１を除湿装置１としたりしてもよい。また、送風装置１に、これら脱臭機能部材、温風機能部材、除湿機能部材のうちの２つ以上を組み合わせて設け、送風装置１を、多機能送風装置１としてもよい。本実施形態に係る収納構造に用いられる送風装置１としては、その他、種々の構成とされた送風装置１の採用が可能である。
【符号の説明】
【００４３】
１        送風装置
２        収納空間
３        前方開口側領域（空気流通空間）
４Ｂ      内側面（内面）
７        棚板（仕切板）
９        開き戸（戸体）
１２      吸込口
１３      吹出口
【図１】
2015130942.tif 000003
【図２】
2015130942.tif 000004
【図３】
2015130942.tif 000005